(57)【特許請求の範囲】
【請求項１】
列方向に伸びた複数の列電極および行方向に伸びた複数の行電極を備えた第１の基板と、
金属導電材料または透明導電材料の少なくともいずれか一方で形成された共通電極を備えた第２の基板とを備え、
これら第１および第２の基板を互いの電極面を内側にしてはりあわすことにより形成されるプラズマディスプレイパネルであって、
前記列電極の端子接続部と、前記行電極の端子接続部と、前記共通電極の端子接続部とを、全て前記第１の基板上に設け、
前記共通電極は、ベタ状の一括共通電極から構成され、前記第２の基板上の四隅に設けられた導電材料からなる共通接続体を介して前記共通電極の前記端子接続部に電気的に接続され、
前記列電極は、交互に反対方向に引き出されて、前記第１の基板上の対向する両端部にそれぞれ設けられた前記列電極の前記端子接続部に接続されていることを特徴とするプラズマディスプレイパネル。
【発明の詳細な説明】
【０００１】
【発明の属する技術分野】
本発明は、フラットパネル式表示装置として知られているプラズマディスプレイパネル（Plasma display panel；以下、ＰＤＰという）に関し、特にこのＰＤＰにおける電極構造および端子配置構造に関する。
【０００２】
【従来の技術】
ＰＤＰは、電場により電子を加速して気体原子または気体分子に衝突させ、励起・緩和過程を経て気体原子または気体分子から放射される可視光または紫外光を利用して画像表示を行うものである。このようなＰＤＰは、大画面で、しかも大容量の表示が可能な薄型平面画像表示装置として従来から知られている。
【０００３】
従来、この種のＰＤＰとしてはたとえば特開平３−１５１３６号公報に記載されたモノクロＰＤＰが知られている。この従来のモノクロＰＤＰの要部構造を図５、図６に示す。図５は従来のＰＤＰを例示する平面図、図６は図５中ＶＡ部の断面図であり、従来のＰＤＰ構造をこれらの図を用いて以下に説明する。
【０００４】
符号１は後面基板であり、この後面基板１の前面側には金属材料からなる複数の列電極２が形成されている。これらの列電極２は列方向（図５中Ｙ方向）に伸びており、それぞれが所定間隔をおいて平行に配列されている。また、前記後面基板１の前面側には、これらの列電極２を被覆する誘電体層１６が形成されている。
【０００５】
符号６は前面基板であり、この前面基板６の後面側には、透明材料からなる複数の行電極４が形成されている。これらの行電極４は行方向（図５中Ｘ方向）に伸びており、それぞれが所定間隔をおいて平行に配列されている。また、前記前面基板６の後面側には、これらの行電極４を被覆する誘電体層１７が形成されている。
【０００６】
前記後面基板１と前面基板６とは、互いの構造物（電極面）を内側にして組み合わせることにより所定の空隙をおいて一体的に貼り合わされている。これらの基板１，６の周縁部分はシール部９によって気密に封止されている。これらの基板１，６間の空隙部分には、可視光または紫外光発生用の気体原子または気体分子が封入されている。
【０００７】
さらに、前面基板６側に形成した行電極４の端子接続部１１は、各行電極４毎に対応して設けた導電材料からなるトランスファ部１３を介して後面基板１側に移設されている。なお、図５および図６示すＰＤＰでは、各画素の放電空間を規定するとともに両基板１，６を支持する隔壁を省略している。
【０００８】
このような構造によるＰＤＰは、次のように動作する。すなわち、独立に電圧パルスを印加する列電極２と順次に電圧パルスを印加する行電極４との間、すなわち両電極２，４の交差部で放電を起こし、画素選択動作と画素表示動作を行わせる。
【０００９】
このようなＰＤＰでは、前面基板６側に形成した行電極４がトランスファ部１３を介して後面基板１側に引出されている。すなわち、行電極端子接続部１１を、列電極端子接続部１０と同一の基板上に形成している。このため、たとえば列および行電極端子接続部１０，１１と電極リード（外部駆動回路との接続を図る導電線）との接続作業が片面のみとなり、組立作業が簡便化される等の効果がある。
【００１０】
なお、図５および図６に示すＰＤＰでは、列および行電極２，４を誘電体層１６，１７により被覆した構造を例示したが、別に被覆されていなくてもよい。また図５，６とは異なり、列電極端子接続部１０を、前面基板６の端部を延設させるとともにこの延設端部の後面側に移設してもよい。
【００１１】
【発明が解決しようとする課題】
しかし、上述した従来のＰＤＰ構造では、たとえば一方の基板上に形成した列電極２または行電極４の端部と他方の基板上に形成した行電極４または列電極２用の端子接続部１１，１０との接続ミス（移設ミス）による導通不良が起こり易いという問題があった。
【００１２】
一般にＰＤＰは、基板材料にソーダライムガラスを使用し、５００℃を超える高温工程（ガラスペーストの焼成等）を経て製造されるため、熱履歴（加熱・冷却過程）による基板の変形が大きく、正規の位置からのパターンずれが著しい。特に、大画面化、高精細化を図るほど各パターン間のずれ量は増大するため、一方の基板上に形成した列電極２または行電極４の端部と他方の基板上に形成した行電極４または列電極２用の端子接続部１１，１０とを各々アライメントし、個々にトランスファ部１３用の導電材料（銀ペースト等）で精密に接続することはきわめて困難であった。
【００１３】
換言すれば、従来の構造では、電極端子のトランスファ構造を有し大画面化と高精細化とを図ったＰＤＰを実現することが事実上不可能であった。しかも、このような問題は、モノクロＰＤＰ（たとえばネオンから放射された可視光を表示光とするＰＤＰ）であっても、またカラーＰＤＰ（たとえばキセノンから放射された紫外光を蛍光体により可視光に変換して表示光とするＰＤＰ）であっても共に共通して問題となるところであり、このような問題を解決することができる対策を講じることが望まれている。
【００１４】
本発明はこのような事情に鑑みてなされたものであり、端子接続作業が容易に行える電極端子トランスファ構造を採用することにより、大画面化、高精細化を図ることができるＰＤＰを得ることを目的とする。
【００１５】
【課題を解決するための手段】
このような要請に応えるために本発明に係るプラズマディスプレイパネル（ＰＤＰ）は、列方向に伸びた複数の列電極および行方向に伸びた複数の行電極を備えた第１の基板と、金属導電材料または透明導電材料の少なくともいずれか一方で形成された共通電極を備えた第２の基板とを備え、これら第１および第２の基板を互いの電極面を内側にしてはりあわすことにより形成されるプラズマディスプレイパネルであって、前記列電極の端子接続部と、前記行電極の端子接続部と、前記共通電極の端子接続部とを、全て前記第１の基板上に設け、前記共通電極は、ベタ状の一括共通電極から構成され、前記第２の基板上の四隅に設けられた導電材料からなる共通接続体を介して前記共通電極の前記端子接続部に電気的に接続され、前記列電極は、交互に反対方向に引き出されて、前記第１の基板上の対向する両端部にそれぞれ設けられた前記列電極の前記端子接続部に接続されていることを特徴とする。
【００２０】
本発明によれば、共通電極の端子接続部を、列電極端子接続部および行電極端子接続部を形成した第１の基板上に導電材料を介して移設したり、列電極端子接続部および行電極端子接続部を、共通電極端子接続部を形成した第２の基板上に導電材料を介して移設することにより、いずれか一方の基板上に列電極端子接続部、行電極端子接続部、共通電極端子接続部を全て移設して形成することができる。各端子接続部への外部駆動回路との外部接続を、それぞれを設けた一方の基板上で行える。
【００２１】
【発明の実施の形態】
（参考例）
図１および図２はＰＤＰ（プラズマディスプレイパネル）の参考例を示し、図１はＰＤＰの参考例の平面図、図２は図１中ＩＡ部とＩＢ部の断面図である。なお、この参考例において、前述した図５および図６と同一または相当する部分には同一番号を付して詳細な説明は省略する。
【００２２】
これらの図において、符号１は後面基板で、この後面基板１の前面側には、金属材料からなる複数の列電極２が形成されている。これらの列電極２は列方向（図１中Ｙ方向）に伸びた状態で形成され、それぞれが所定の間隔をおいて並列に配列されている。これらの列電極２を被覆するように誘電体層３が、後面基板１の前面側に形成されている。
【００２３】
前記誘電体層３上には、金属材料からなる複数の行電極４が形成されている。これらの行電極４は行方向（図１中Ｘ方向）に伸びた状態で形成され、それぞが所定の間隔をおいて並列に配列されている。これらの行電極４を被覆する誘電体層５が形成されている。
【００２４】
一方、前記前面基板６の後面側には、金属導電材料または透明導電材料の少なくともいずれか一方（片方または両方）からなる複数の分割共通電極７が形成されている。これらの分割共通電極７を被覆するように誘電体層８が、前記前面基板６の後面側に形成されている。
【００２５】
これらの後面基板１と前面基板６とは、互いの構造物（電極面）を内側にして組み合わせることにより所定の空隙をおいて一体的に貼り合わされている。これらの基板１，６の周縁部分はシール部９によって気密に封止されている。これらの基板１，６間の空隙部分には、可視光または紫外光発生用の気体原子または気体分子が封入されている。
【００２６】
前記前面基板６の後面側に形成した分割共通電極７の端子接続部１２は、図２に示すように各分割共通電極７を連結して設けた導電材料からなるトランスファ部１３を介して後面基板１側に移設されている。なお、図１および図２示すＰＤＰでは、各画素の放電空間を規定するとともに、両基板１，６を支持する隔壁の図示を省略している。
【００２７】
以上の構成によるＰＤＰは、以下のように動作する。
すなわち、独立に電圧パルスを印加する列電極２と順次に電圧パルスを印加する行電極４との間、つまり両電極２，４の交差部で書込面放電を起こして画素選択動作を行った後、行電極４と分割共通電極７との間、つまり両電極４，７間の空隙部分で維持対向放電を起こして画素表示動作を行う。
【００２８】
このようなＰＤＰでは、各電極毎に外部駆動回路に接続される電極リード（図示せず）との端子接続を行う必要がある列電極２および行電極４が同じ後面基板１上に形成されているため、従来のように列電極２および行電極４の端子接続部との間にトランスファ構造を用いる必要がない。
【００２９】
一方、前記前面基板６上に形成した分割共通電極７は、全画素に共通の電圧パルスを印加するためのものであるから、列電極２および行電極４のように個別に端子接続をする必要がない。すなわち分割共通電極７の端子接続部１２は、一箇所であってもかまわない。
【００３０】
したがって、従来のように両基板１，６間のパターンずれやアライメント精度を気にする必要もなく、分割共通電極７の端子接続部１２をトランスファ部１３を介して列電極２および行電極４のある後面基板１上に移設することができる。この結果、従来のような端子移設ミスがなくなり、端子接続作業が容易な電極端子トランスファ構造を有し、しかも大画面化と高精細化とを図れるＰＤＰを提供することができる。換言すれば、全電極の端子接続部が同一基板上にある大画面・高精細なＰＤＰを提供することができるのである。
【００３１】
なお、図１および図２に示すＰＤＰでは、帯状の分割共通電極７を例示したが、これに準じるものであれば特に限定されない。ただし、各画素内の遮光面積が小さければ高い輝度が得られるので都合がよい。
【００３２】
（実施の形態）
図３および図４は本発明に係るＰＤＰの実施の形態における平面図、図４は図３における IIIＡ部の分解斜視図である。これらの図において、前述した参考例で説明したと同一または相当する部分には同一番号を付している。
【００３３】
この実施の形態では、前記後面基板１の前面側に形成した列電極端子接続部１０および行電極端子接続部１１は、それぞれ後面基板１の両辺に交互に設けられている。また、前記前面基板６の後面側にはベタ状の一括共通電極１４が形成されている。この一括共通電極１４の端子接続部１５は、前面基板６の四隅に設けた導電材料からなるトランスファ部１３を介して後面基板１の前面側に移設されている。なお、これ以外の構成および動作については、前述した図１および図２に示すＰＤＰと同じであり、ここでの説明は省略する。
【００３４】
このようなＰＤＰでは、列電極端子接続部１０および行電極端子接続部１１の間隔を広くできるため、各端子接続部１０，１１間に生じる電界強度を小さくすることができ、端子間でのショート等といった電気的信頼性を低下する要因をも軽減することができる。その理由は、後面基板１の前面側に形成した列電極端子接続部１０および行電極端子接続部１１をそれぞれ基板１の両辺に交互に設けることにより、列電極端子接続部１０および行電極端子接続部１１における端子間の間隔を広くできるためである。
【００３５】
また、各端子接続部１０，１１の面積を大きくできるため、外部駆動回路に接続するための電極リードとの端子接続も容易に行うことができる。この結果、信頼性が高く、端子接続作業も容易な電極端子トランスファ構造を有し、しかも大画面化と高精細化とを図れるＰＤＰ（全電極の端子接続部を同一の基板上に設けた大画面・高精細なＰＤＰ）を簡単に提供することができる。
【００３６】
ここで、図３および図４に示すＰＤＰでは、ベタ状の一括共通電極１４を例示したが、本発明はこれに限らず、それに準じるものであれば特に限定されるものではない。勿論、各画素内の遮光面積が小さければ高い輝度を得るうえで都合がよい。
【００３７】
また、この実施の形態では、列電極端子接続部１０および行電極端子接続部１１と外部駆動回路接続用の電極リードとの端子接続マージンを大きくすることができる。その理由は、後面基板１の前面側に形成した列電極端子接続部１０および行電極端子接続部１１をそれぞれ基板１の両辺に交互に設け、列電極端子接続部１０および行電極端子接続部１１における各端子間の間隔を広くできるためである。この結果、列電極端子接続部１０および行電極端子接続部１１の面積を大きくすることが可能となる。
【００３８】
なお、本発明は上述した実施の形態で説明した構造には限定されず、各部の形状、構造等を適宜変形、変更し得ることはいうまでもない。たとえば上述した実施の形態では、列電極端子接続部１０および行電極端子接続部１１を後面基板１の前面側に形成するとともに、共通電極端子接続部１５をこの後面基板１の前面側に共に形成しているが、本発明はこれに限定されない。上述したとは逆に、共通電極端子接続部１５を前面基板６の後面側に形成するとともに、この前面基板６の後面側に前記後面基板１の前面側に形成した列電極２と行電極４との端子接続部１０，１１を形成してもよい。
【００３９】
【発明の効果】
以上説明したように本発明に係るプラズマディスプレイパネルによれば、列電極、行電極、分割共通電極または一括共通電極の全ての端子接続部を同一の基板上に容易に設けることができる。したがって、端子接続作業が簡便で、大画面化、高精細化が図れるＰＤＰを得ることができる。
【００４０】
その理由は、各電極毎に外部駆動回路への接続用の電極リードとの端子接続を行う必要がある列電極および行電極を同じ後面基板上に形成していることに加えて、前面基板上に形成した共通電極は個別に端子接続をする必要がないからである。この結果、前面基板および後面基板間でのパターンずれやアライメント精度を気にすることなく、共通電極端子接続部をトランスファ部（導電材料）を介して列電極端子接続部および行電極端子接続部が設けられている後面基板上に移設することが可能となる。
【００４１】
また、本発明によれば、列電極端子接続部および行電極端子接続部間に生じる電界強度を小さくすることができる。このため、端子間にショート等といった電気的信頼性を低下する要因を軽減することが可能となる。これは、後面基板側に形成した列電極端子接続部および行電極端子接続部をそれぞれ基板の両辺に交互に設けることにより、列電極端子接続部および行電極端子接続部での各端子間の間隔を広くできるためである。
【００４２】
さらに、本発明によれば、列電極端子接続部および行電極端子接続部と外部駆動回路接続用の電極リードとの端子接続マージンを大きくすることができる。その理由は、後面基板側に形成した列電極端子接続部および行電極端子接続部がそれぞれ基板の両辺に交互に設けることにより、それぞれの電極端子接続部での端子間の間隔を広くできるためである。この結果、これらの列電極端子接続部および行電極端子接続部の面積を大きくすることが可能となる。
【図面の簡単な説明】
【図１】  ＰＤＰ（プラズマディスプレイパネル）の参考例を示す平面図である。
【図２】  図１のＩＡ部およびＩＢ部の断面図である。
【図３】  本発明に係るＰＤＰの実施の形態を示す平面図である。
【図４】  図３の IIIＡ部の分解斜視図である。
【図５】  従来のＰＤＰを示す平面図である。
【図６】  図５のＶＡ部の断面図である。
【符号の説明】
１…後面基板（第１の基板）、２…列電極、３…誘電体層、４…行電極、５…誘電体層、６…前面基板（第２の基板）、７…分割共通電極、８…誘電体層、９…シール部、１０…列電極端子接続部、１１…行電極端子接続部、１２…共通電極端子接続部、１３…トランスファ部（導電材料）、１４…一括共通電極、１５…共通電極端子接続部、１６…誘電体層、１７…誘電体層。
【図１】
0003938458.tif 000002
【図２】
0003938458.tif 000003
【図３】
0003938458.tif 000004
【図４】
0003938458.tif 000005
【図５】
0003938458.tif 000006
【図６】
0003938458.tif 000007